【手続補正書】
【提出日】平成17年9月22日(2005.9.22)
【手続補正１】
【補正対象書類名】明細書
【補正対象項目名】特許請求の範囲
【補正方法】変更
【補正の内容】
【特許請求の範囲】
【請求項１】  空気を吸い込んで圧縮する空気圧縮部と、
該空気圧縮部を駆動する駆動部と、
前記空気圧縮部により生成された圧縮空気を貯留するタンクと、
前記タンク内の圧力を検出する圧力検出手段と、
前記圧力検出手段により検出された前記タンク内の圧力が予め設定された目標圧力範囲内に保つように前記駆動部を制御する制御手段と、
を備えてなる空気圧縮機において、
前記制御手段は、外部からのスイッチ操作により前記目標圧力範囲を、通常目標圧力範囲と少なくとも上限値が前記通常目標圧力範囲の上限値より低圧となる低圧圧力範囲とに変更可能な目標圧力範囲変更手段を備えたことを特徴とする空気圧縮機。
【請求項２】  前記制御手段は、外部からのスイッチ操作により前記駆動部の回転速度を、通常回転速度と該通常の回転速度より低速の低速回転速度とに変更可能な回転速度変更手段を備えることを特徴とする請求項１に記載の空気圧縮機。
【請求項３】
前記制御手段は、外部からのスイッチ操作により、前記目標圧力範囲を前記通常目標圧力範囲とすると共に前記駆動部の回転速度を前記通常回転速度とする通常モードと、
前記目標圧力範囲を前記低圧圧力範囲とすると共に前記駆動部の回転速度を前記低速回転速度とする静音モードとに切り替え可能であることを特徴とする請求項２に記載の空気圧縮機。
【請求項４】
空気を吸い込んで圧縮する空気圧縮部と、
該空気圧縮部を駆動する駆動部と、
該駆動部を制御する制御手段と、
を備えてなる空気圧縮機において、
前記制御手段は、外部からのスイッチ操作により前記駆動部の回転速度を通常回転速度と、該通常の回転速度より低速の低速回転速度とに変更可能な回転速度変更手段を備えてなることを特徴とする空気圧縮機。
【請求項５】
前記回転速度変更手段は、電流を制御することで回転速度を切り替えることを特徴とする請求項２乃至４の何れかに記載の空気圧縮機。
【手続補正２】
【補正対象書類名】明細書
【補正対象項目名】００１３
【補正方法】変更
【補正の内容】
【００１３】
【課題を解決するための手段】
本発明は上記課題を解決するため、以下のような特徴を有する。
上記請求項１記載の発明は、空気を吸い込んで圧縮する空気圧縮部と、空気圧縮部を駆動する駆動部と、空気圧縮部により生成された圧縮空気を貯留するタンクと、タンク内の圧力を検出する圧力検出手段と、圧力検出手段により検出されたタンク内の圧力が予め設定された目標圧力範囲内に保つように駆動部を制御する制御手段と、を備えてなる空気圧縮機において、制御手段は、外部からのスイッチ操作により目標圧力範囲を、通常目標圧力範囲と少なくとも上限値が通常目標圧力範囲の上限値より低圧となる低圧圧力範囲とに変更可能な目標圧力範囲変更手段を備えたものであり、目標圧力を低圧圧力範囲に変更することでモータ音が低下する回転数で低速運転されるように運転状態を切り替えることが可能になる。
【手続補正３】
【補正対象書類名】明細書
【補正対象項目名】００１４
【補正方法】変更
【補正の内容】
【００１４】
また、請求項２記載の発明は、制御手段は、外部からのスイッチ操作により駆動部の回転速度を、通常回転速度と通常の回転速度より低速の低速回転速度とに変更可能な回転速度変更手段を備えたものであり、駆動部の回転速度を低速回転速度に変更することでモータ音が低下する回転数で低速運転されるように運転状態を切り替えることが可能になる。
【手続補正４】
【補正対象書類名】明細書
【補正対象項目名】００１５
【補正方法】変更
【補正の内容】
【００１５】
また、請求項３記載の発明は、請求項２において、外部からのスイッチ操作により、目標圧力範囲を通常目標圧力範囲とすると共に駆動部の回転速度を通常回転速度とする通常モードと、目標圧力範囲を低圧圧力範囲とすると共に駆動部の回転速度を低速回転速度とする静音モードとに切り替え可能であり、目標圧力を低圧圧力範囲に変更し、さらに駆動部の回転速度を低速回転速度に変更することで、モータ音が低下する回転数で低速運転されるように運転状態を切り替えることが可能になる。
また、請求項４記載の発明は、空気を吸い込んで圧縮する空気圧縮部と、空気圧縮部を駆動する駆動部と、駆動部を制御する制御手段と、を備えてなる空気圧縮機において、前記制御手段は、外部からのスイッチ操作により駆動部の回転速度を通常回転速度と、通常の回転速度より低速の低速回転速度とに変更可能な回転速度変更手段を備えたものであり、駆動部の回転速度を低速回転速度に変更することでモータ音が低下する回転数で低速運転されるように運転状態を切り替えることが可能になる。
また、請求項５記載の発明は、請求項２乃至４の何れかにおいて、回転速度変更手段は、電流を制御することで回転速度を切り替えることを特徴とするので、駆動部の回転速度を低速回転速度に変更することでモータ音が低下する回転数で低速運転されるように運転状態を切り替えることが可能になる。
【手続補正５】
【補正対象書類名】明細書
【補正対象項目名】００７３
【補正方法】変更
【補正の内容】
【００７３】
このように制御部９４は、静音モードスイッチ９３がオンに操作されると、目標圧力範囲を任意の圧力範囲に変更することでモータ音が低下する回転数で低速運転されるように運転状態を切り替えることが可能になる。そのため、例えば、夜間等に作業する場合や、１台の釘打ち機のみを使用する場合に、モータ６８の回転数Ｎが低速回転数Ｎ２以下で運転するように制御できるので、モータ６８の圧縮運転に伴う騒音を低減することが可能になる。
また、作業内容によって、高圧を必要とせず、低圧吐出口側しか使わない場合は、静音モードにしても、低圧吐出は十分使用できかつ、モータ等の騒音を低減することができる。
【手続補正６】
【補正対象書類名】明細書
【補正対象項目名】００９２
【補正方法】変更
【補正の内容】
【００９２】
また、上記実施の形態では、目標圧力範囲や回転速度を２段階に変更可能な例を示したが、多段階、更にはリニアに変更可能としても良い。
【発明の効果】
上記の如く、請求項１の発明にあっては、外部からのスイッチ操作により目標圧力範囲を、通常目標圧力範囲と少なくとも上限値が前記通常目標圧力範囲の上限値より低圧となる低圧圧力範囲とに変更可能な目標圧力範囲変更手段を備えたことにより、目標圧力範囲を低圧圧力範囲に設定すると、モータの負荷を低減でき、モータなどから発生する騒音を低減することができる。
【手続補正７】
【補正対象書類名】明細書
【補正対象項目名】００９３
【補正方法】変更
【補正の内容】
【００９３】
また、請求項２の発明にあっては、請求項１において外部からのスイッチ操作により駆動部の回転速度を、通常回転速度と通常の回転速度より低速の低速回転速度とに変更可能な回転速度変更手段を備えたことにより、モータ音が低下する回転数で低速運転されるように運転状態を切り替えることが可能になる。
【手続補正８】
【補正対象書類名】明細書
【補正対象項目名】００９４
【補正方法】変更
【補正の内容】
【００９４】
さらに、請求項３の発明にあっては、請求項２において、外部からのスイッチ操作により、目標圧力範囲を通常目標圧力範囲とすると共に駆動部の回転速度を通常回転速度とする通常モードと、目標圧力範囲を低圧圧力範囲とすると共に駆動部の回転速度を低速回転速度とする静音モードとに切り替え可能であり、目標圧力を低圧圧力範囲に変更し、さらに駆動部の回転速度を低速回転速度に変更することで、モータの負荷を軽減でき、モータなどから発生する騒音を低減することができる。モータ音が低下する回転数で低速運転されるように運転状態を切り替えることが可能になる。
さらに、請求項４の発明にあっては、外部からのスイッチ操作により駆動部の回転速度を通常回転速度と、該通常の回転速度より低速の低速回転速度とに変更可能な回転速度変更手段を備えたことにより、低速回転速度とした際には、モータの高周波音を低減できる。
さらに、請求項５の発明にあっては、請求項２，３，４において、回転速度変更手段は、電流を制御することで回転速度を切り替えることを特徴とするので、モータなどから発生する騒音を低減することができる。